(57)【特許請求の範囲】
【請求項１】
相互にオーナー情報であるプロファイルを送受信してプロファイル交換可能なデータ送受信装置であって、
前記プロファイルを保存する記憶部と、
前記プロファイルを表示する表示部と、
プロファイル交換対象である他のデータ送受信装置への前記プロファイルの送信、および前記他のデータ送受信装置からのプロファイルの受信を制御し、最初にプロファイルを送信する場合は前記記憶部から抽出した自装置のプロファイルを前記表示部に表示する制御を行うプロファイル制御部と、
前記他のデータ送受信装置との無線通信を制御する無線制御部と、
を備え、
前記プロファイル制御部は、
最初にプロファイルを送信する場合、
前記無線制御部の制御により前記他のデータ送受信装置との間で無線接続が完了すると、前記記憶部から抽出した前記自装置のプロファイルを前記他のデータ送受信装置へ送信し、前記自装置のプロファイルの送信が終了すると、前記他のデータ送受信装置からのプロファイルを受信し、
最初にプロファイルを受信する場合、
前記他のデータ送受信装置との間で前記無線制御部の制御により無線接続が完了し、前記他のデータ送受信装置から送信されるプロファイルのサイズを含む情報を前記他のデータ送受信装置から受信すると、起動して前記他のデータ送受信装置からのプロファイルの受信を開始し、前記他のデータ送受信装置からのプロファイルの受信が終了すると、前記記憶部から抽出した自装置のプロファイルを前記他のデータ送受信装置へ送信する、
前記無線制御部は、トランスファージェットにより無線通信を行い、
前記プロファイルを、ｖＣｒａｄ形式のデータとする、
ことを特徴とするデータ送受信装置。
【請求項２】
相互にオーナー情報であるプロファイルを送受信してプロファイル交換可能なデータ送受信装置であって、
前記プロファイルを保存する記憶部と、
前記プロファイルを表示する表示部と、
プロファイル交換対象である他のデータ送受信装置への前記プロファイルの送信、および前記他のデータ送受信装置からのプロファイルの受信を制御し、最初にプロファイルを送信する場合は前記記憶部から抽出した自装置のプロファイルを前記表示部に表示する制御を行うプロファイル制御部と、
前記他のデータ送受信装置との無線通信を制御する無線制御部と、
を備え、
前記プロファイル制御部は、最初にプロファイルを受信する場合、前記他のデータ送受信装置との間で前記無線制御部の制御により無線接続が完了し、前記他のデータ送受信装置から送信されるプロファイルのサイズを含む情報を前記他のデータ送受信装置から受信すると、起動して前記他のデータ送受信装置からのプロファイルの受信を開始する、
ことを特徴とするデータ送受信装置。
【請求項３】
前記プロファイル制御部は、
最初にプロファイルを送信する場合、
前記無線制御部の制御により前記他のデータ送受信装置との間で無線接続が完了すると、前記記憶部から抽出した前記自装置のプロファイルを前記他のデータ送受信装置へ送信し、前記自装置のプロファイルの送信が終了すると、前記他のデータ送受信装置からのプロファイルを受信し、
最初にプロファイルを受信する場合、
前記他のデータ送受信装置からのプロファイルの受信が終了すると、前記記憶部から抽出した自装置のプロファイルを前記他のデータ送受信装置へ送信する、
ことを特徴とする請求項２に記載のデータ送受信装置。
【請求項４】
前記プロファイルを、ｖＣｒａｄ形式のデータとする、
ことを特徴とする請求項２または３に記載のデータ送受信装置。
【請求項５】
前記無線制御部は、トランスファージェットにより無線通信を行う、
ことを特徴とする請求項２に記載のデータ送受信装置。
【発明の詳細な説明】
【技術分野】
【０００１】
本発明の実施形態は、データ送受信装置に関する。
【背景技術】
【０００２】
従来、赤外線等を用いて携帯情報端末間でデータの送受信が行われている。また、近年では、インターネット接続機能や通話機能を有していないデジタルカメラ等の端末において、相手方の端末と近接させて端末間でデータの送受信を行う方法がある。
【０００３】
しかしながら、従来技術では、プロファイルのデータを相手方へ送信する場合や相互にプロファイルのデータを交換する場合、自身の端末とともに、相手方の端末についても受信のための設定操作が必要である、という問題がある。
【先行技術文献】
【非特許文献】
【０００４】
【非特許文献１】Ｂｕｍｐ情報交換アプリ  http://andronavi.com/2010/07/29996
【発明の概要】
【発明が解決しようとする課題】
【０００５】
本発明の一つの実施形態は、プロファイルのデータ交換を容易に行うことが可能なデータ送受信装置を提供することを目的とする。
【課題を解決するための手段】
【０００６】
本発明の一つの実施形態のデータ送受信装置は、オーナー情報であるプロファイルを保存する記憶部を持つ。また、プロファイルを表示する表示部を持つ。また、相互にプロファイルを送受信してプロファイルを交換する対象である他のデータ送受信装置への前記プロファイルの送信、および前記他のデータ送受信装置からのプロファイルの受信を制御し、最初にプロファイルを送信する場合は前記記憶部から抽出した自装置のプロファイルを前記表示部に表示する制御を行うＰＲＯＦＩＬＥ制御部を持つ。また、前記他のデータ送受信装置との無線通信を制御する無線制御部を持つ。前記ＰＲＯＦＩＬＥ制御部は、最初にプロファイルを受信する場合、前記他のデータ送受信装置との間で前記無線制御部の制御により無線接続が完了し、前記他のデータ送受信装置から送信されるプロファイルのサイズを含む情報を前記他のデータ送受信装置から受信すると、起動して前記他のデータ送受信装置からのプロファイルの受信を開始する。
【図面の簡単な説明】
【０００７】
【図１】図１は、データ送受信装置のハードウェアの構成例を示す図である。
【図２】図２は、データ送受信装置の機能ブロックの構成例を示す図である。
【図３】図３は、ＰＲＯＦＩＬＥ交換処理を示すフローチャートである。
【図４】図４は、ＰＲＯＦＩＬＥ交換処理の各段階におけるデータ送受信装置の表示内容を示す図である。
【発明を実施するための形態】
【０００８】
以下に添付図面を参照して、本発明の実施の形態にかかるデータ送受信装置を詳細に説明する。なお、この実施の形態により本発明が限定されるものではない。
【０００９】
（第１の実施の形態）
図１は、データ送受信装置のハードウェアの構成例を示す図である。データ送受信装置１は、画像表示を行い、またタッチ操作を受け付けるタッチパネル部２を備える。また、他のデータ送受信装置１とデータ送受信を行うため、ここでは、トランスファージェット部３と、カプラ４と、を装置内部に備える。トランスファージェット部３およびカプラ４を用いることにより、同じ構成（トランスファージェット部３、カプラ４）を備える装置との間では、カプラ４を近接させて無線接続することによりデータの送受信を簡易な方法で行うことができる。なお、これらの構成は一例であり、タッチパネル部２を用いずに、表示部および操作部が分離された構成を用いることも可能である。また、データを送受信する方法は、トランスファージェット以外の方法を用いてもよい。
【００１０】
図２は、データ送受信装置１における機能ブロックの構成例を示す図である。データ送受信装置１は、ＣＰＵ（Central  Processing  Unit）部１０と、記憶部２０と、表示部３０と、操作部４０と、無線部５０と、を備える。また、ＣＰＵ部１０は、制御部１１と、ＰＲＯＦＩＬＥ制御部１２と、ＷＥＢＬＩＮＫ制御部１３と、ＶＩＤＥＯ制御部１４と、ＰＨＯＴＯ制御部１５と、ＭＵＳＩＣ制御部１６と、ＯＴＨＥＲ制御部１７と、無線制御部１８と、を備える。
【００１１】
制御部１１は、他の構成と連携し、全てのデータ種別においてデータの送受信を制御する。ＰＲＯＦＩＬＥ制御部１２は、データ種別がＰＲＯＦＩＬＥの場合に、データの送受信処理を制御する。ＷＥＢＬＩＮＫ制御部１３は、データ種別がＷＥＢＬＩＮＫの場合に、データの送受信処理を制御する。ＶＩＤＥＯ制御部１４は、データ種別がＶＩＤＥＯ（動画）の場合に、データの送受信処理を制御する。ＰＨＯＴＯ制御部１５は、データ種別がＰＨＯＴＯ（静止画）の場合に、データの送受信処理を制御する。ＭＵＳＩＣ制御部１６は、データ種別がＭＵＳＩＣ（音楽）の場合に、データの送受信処理を制御する。ＯＴＨＥＲ制御部１７は、データ種別が上記で示したデータ以外、例えば、ＰＤＦ等の場合にデータの送受信処理を制御する。無線制御部１８は、無線部５０を介して、データ送受信の相手方との間で接続処理や認証処理を行う。ＰＲＯＦＩＬＥ制御部１２からＯＴＨＥＲ制御部１７までのそれぞれが、データの送受信処理を制御するデータ制御部である。なお、各データ制御部は一例であり、データ送受信装置１は、扱うデータの種別に応じて対応するデータ制御部を備えるものとする。
【００１２】
記憶部２０は、上記で示す各データ、例えば、後述するオーナー情報であるプロファイル（ＰＲＯＦＩＬＥ）のデータを保存する。記憶部２０としては、例えば、ＳＳＤ（Solid  State  Drive）があるが、これに限定するものではない。
【００１３】
表示部３０は、データ送受信を行う前の待受け画面やデータのサムネイル表示等を行う。図１では、タッチパネル部２に相当する。
【００１４】
操作部４０は、ユーザからの送信対象のデータの選択等を受け付ける。図１では、タッチパネル部２に相当する。
【００１５】
無線部５０は、無線制御部１８の制御により、実際に通信相手のデバイスとの間でデータの送受信を行う。図１では、トランスファージェット部３およびカプラ４に相当する。
【００１６】
つづいて、データ送受信装置１が行うＰＲＯＦＩＬＥ交換処理について説明する。ここでは、２つのデータ送受信装置１を用いて、一方のデータ送受信装置１の操作からＰＲＯＦＩＬＥ交換処理を開始する場合について説明する。図３は、ＰＲＯＦＩＬＥ交換処理を示すフローチャートである。また、図４は、ＰＲＯＦＩＬＥ交換処理の各段階におけるデータ送受信装置の表示内容を示す図である。
【００１７】
まず、送信側のデータ送受信装置１では、制御部１１が、表示部３０を制御して、データ種別を示す待受け画面を表示する（図４（ａ））。待受け画面に示すデータ種別は、ＣＰＵ部１０内の各データ制御部と対応している。待受け画面において、ユーザが、送信するデータ種別を選択する。ここでは、ＰＲＯＦＩＬＥを選択する（ステップＳ１０１）。
【００１８】
制御部１１は、ユーザによる操作部４０からの操作を受け付けて、ＰＲＯＦＩＬＥ制御部１２を起動する。ＰＲＯＦＩＬＥ制御部１２は、制御部１１を介して表示部３０にＰｒｏｆｉｌｅ  Ｍｅｎｕ画面を表示する（図４（ｂ））。ここでは、ユーザは、一例として、Ｐｒｏｆｉｌｅ  Ｍｅｎｕ画面において、ｅｘｃｈａｎｇｅ  ｐｒｏｆｉｌｅを選択する（ステップＳ１０２）。
【００１９】
ＰＲＯＦＩＬＥ制御部１２は、制御部１１を介してユーザによる操作部４０からの操作を受け付け、記憶部２０から自装置のオーナー情報であるＰＲＯＦＩＬＥを抽出し、制御部１１を介して表示部３０にＰＲＯＦＩＬＥを表示する（ステップＳ１０３）（図４（ｃ））。ＰＲＯＦＩＬＥには、ユーザの名前、住所、電話番号、写真等の情報が含まれる。
【００２０】
送信側のデータ送受信装置１では、ＰＲＯＦＩＬＥを表示している状態で、無線制御部１８が、無線部５０を用いて無線電波を送出し、近接した範囲に無線電波を送出するデバイス、すなわち、相互にＰＲＯＦＩＬＥを送受信してＰＲＯＦＩＬＥを交換する対象である他のデータ送受信装置１（ここでは、受信側のデータ送受信装置１）があるかどうかをサーチする（ステップＳ１０４）。
【００２１】
一方、受信側のデータ送受信装置１では、待受け画面（図４（ｄ））の状態から（ステップＳ２０１）、同様に、近接した範囲に無線電波を送出するデバイス、すなわち他のデータ送受信装置１（ここでは、送信側のデータ送受信装置１）をサーチする（ステップＳ２０２）。
【００２２】
そして、送信側および受信側のデータ送受信装置１を近接させる（ステップＳ１０５、Ｓ２０３）。トラスファージェットの場合、近接させることをタッチさせるといい（図４（ｃ）、（ｄ））、具体的には、図１に示す双方のカプラ４の部分を近接させる。
【００２３】
送信側のデータ送受信装置１では、無線制御部１８が、無線部５０から受信側のデータ送受信装置１へＣＮＬ（Connection  Layer）接続要求を送信する。ＣＮＬ接続要求を受信した受信側データ送受信装置１では、無線制御部１８が、無線部５０から送信側データ送受信装置１へＣＮＬａｃｃｅｐｔを送信する。そして、送信側データ送受信装置１では、ＣＮＬａｃｃｅｐｔを受信する。これらの処理により、送信側および受信側データ送受信装置１では、ＣＮＬ接続を完了する（ステップＳ１０６、Ｓ２０４）。
【００２４】
つぎに、送信側および受信側のデータ送受信装置１では、無線制御部１８が、ＯＢＥＸ（OBject  EXchange）接続を行う（ステップＳ１０７、Ｓ２０５）。具体的には、送信側データ送受信装置１では、無線制御部１８が、無線部５０から受信側データ送受信装置１へＯＢＥＸ接続要求を送信する。ＯＢＥＸ接続要求を受信した受信側データ送受信装置１では、無線制御部１８が、無線部５０から送信側データ送受信装置１へＯＢＥＸａｃｃｅｐｔを送信する。そして、送信側データ送受信装置１では、ＯＢＥＸａｃｃｅｐｔを受信する。これらの処理により、送信側および受信側データ送受信装置１では、ＯＢＥＸ接続を完了する。
【００２５】
ＯＢＥＸ接続後（ステップＳ１０７、Ｓ２０５）、送信側のデータ送受信装置１では、ＰＲＯＦＩＬＥ制御部１２が、自装置のオーナーのＰＲＯＦＩＬＥをｖＣａｒｄ形式に変換、すなわちｖＣａｒｄを作成する（ステップＳ１０８）。このとき、送信側のデータ送受信装置１では、無線制御部１８が、無線部５０を介して、作成したｖＣａｒｄのサイズ、ＭＩＭＥ  ＴＹＰＥ等の情報を受信側のデータ送受信装置１へ送信する。受信側のデータ送受信装置１では、これらの情報を受信したタイミングでＰＲＯＦＩＬＥ制御部１２が起動していない場合、制御部１１が、ＰＲＯＦＩＬＥ制御部１２を起動することができる（ステップＳ２０６）。
【００２６】
そして、送信側のデータ送受信装置１では、無線制御部１８が、無線部５０を介してｖＣａｒｄの転送（ＰＵＴ）を行う（ステップＳ１０９）。送信すべきデータがある場合（ステップＳ１１０：Ｙｅｓ）、無線制御部１８は、無線部５０を介してｖＣａｒｄの転送（ＰＵＴ）を継続する（ステップＳ１０９）（図４（ｅ））。また、受信側のデータ送受信装置１では、無線制御部１８が、無線部５０を介してｖＣａｒｄの受信（ＧＥＴ）を行う（ステップＳ２０７）。そして、受信すべきデータがある場合（ステップＳ２０８：Ｙｅｓ）、無線制御部１８は、無線部５０を介してｖＣａｒｄの受信（ＧＥＴ）を継続する（ステップＳ２０７）（図４（ｆ））。
【００２７】
受信側のデータ送受信装置１では、無線制御部１８が、無線部５０を介してｖＣａｒｄの受信（ＧＥＴ）を終了すると（ステップＳ２０８：Ｎｏ）、無線接続後に起動したＰＲＯＦＩＬＥ制御部１２は、受信したｖＣａｒｄの情報を、制御部１１を介して記憶部２０に保存されている連絡帳に追加する（ステップＳ２０９）。このとき、受信側のデータ送受信装置１では、無線制御部１８が、送信側のデータ送受信装置１に対して、保存完了を通知する。
【００２８】
ｖＣａｒｄの送信（ＰＵＴ）を終了し（ステップＳ１１０：Ｎｏ）、保存完了の通知を受けた送信側のデータ送受信装置１では、ＰＲＯＦＩＬＥ制御部１２が、受信側のデータ送受信装置１に対して、ＰＲＯＦＩＬＥ（ｖＣａｒｄ）の送信を要求、すなわち送信側のデータ送受信装置１から受信側のデータ送受信装置１に対してＧＥＴ要求する（ステップＳ１１１）。
【００２９】
ＧＥＴ要求を受けた受信側のデータ送受信装置１では、ＰＲＯＦＩＬＥ制御部１２が、自装置のオーナー情報であるＰＲＯＦＩＬＥをｖＣａｒｄ形式に変換、すなわちｖＣａｒｄを作成する（ステップＳ２１０）。このとき、受信側のデータ送受信装置１では、無線制御部１８が、無線部５０を介して、作成したｖＣａｒｄのサイズ等の情報を送信側のデータ送受信装置１へ送信する。
【００３０】
そして、受信側のデータ送受信装置１では、無線制御部１８が、無線部５０を介してｖＣａｒｄの転送（ＰＵＴ）を行う（ステップＳ２１１）。送信すべきデータがある場合（ステップＳ２１２：Ｙｅｓ）、無線制御部１８は、無線部５０を介してＰＲＯＦＩＬＥの転送（ＰＵＴ）を継続する（ステップＳ２１１）（図４（ｈ））。また、送信側のデータ送受信装置１では、無線制御部１８が、無線部５０を介してＰＲＯＦＩＬＥの受信（ＧＥＴ）を行う（ステップＳ１１２）。そして、受信すべきデータがある場合（ステップＳ１１３：Ｙｅｓ）、無線制御部１８は、無線部５０を介してＰＲＯＦＩＬＥの受信（ＧＥＴ）を継続する（ステップＳ１１２）（図４（ｇ））。
【００３１】
送信側のデータ送受信装置１では、無線制御部１８が、無線部５０を介してｖＣａｒｄの受信（ＧＥＴ）を終了すると（ステップＳ１１３：Ｎｏ）、ＰＲＯＦＩＬＥ制御部１２は、受信したｖＣａｒｄの情報を、制御部１１を介して記憶部２０に保存されている連絡帳に追加する（ステップＳ１１４）。
【００３２】
送信側のデータ送受信装置１でｖＣａｒｄを連絡帳に追加後（ステップＳ１１４）、および受信側のデータ送受信装置１でｖＣａｒｄの送信完了後（ステップＳ２１２：Ｎｏ）、送信側および受信側のデータ送受信装置１では、無線制御部１８が、ＯＢＥＸ接続を切断し（ステップＳ１１５、Ｓ２１３）、また、ＣＮＬ接続を開放する（ステップＳ１１６、Ｓ２１４）。このときの送信側および受信側のデータ送受信装置１における表示部３０の表示は、それぞれ図４（ｉ）、図４（ｊ）となる。送信側および受信側のデータ送受信装置１では、それぞれ自身および相手方のＰＲＯＦＩＬＥが表示される。
【００３３】
そして、送信側および受信側のデータ送受信装置１では、ＰＲＯＦＩＬＥの交換処理を終了する。
【００３４】
このように、送信側のデータ送受信装置１が操作することで、受信側のデータ送受信装置１でＰＲＯＦＩＬＥ制御部１２が起動していない状態であっても、ＰＲＯＦＩＬＥの交換を開始することができる。また、データ送受信装置１同士の間で直接ＰＲＯＦＩＬＥを送受信することから、インターネット等への接続環境等も必要としない。
【００３５】
なお、ＰＲＯＦＩＬＥの交換を行う場合について説明したが、送信側のデータ送受信装置１から受信側のデータ送受信装置１へＰＲＯＦＩＬＥを送信することも可能である。この場合も同様に、送信側のデータ送受信装置１の操作で、ＰＲＯＦＩＬＥを送信することができる。
【００３６】
以上説明したように、本実施形態では、２つのデータ送受信装置１の間でＰＲＯＦＩＬＥの交換を行う場合、最初にＰＲＯＦＩＬＥを送信する側のデータ送受信装置１を操作して相手方へＰＲＯＦＩＬＥを送信すると、ＰＲＯＦＩＬＥを受信した相手方のデータ送受信装置１は、ユーザが操作を行うことなく、最初にＰＲＯＦＩＬＥを送信したデータ送受信装置１に対して自身のＰＲＯＦＩＬＥを送信する。これにより、最初にＰＲＯＦＩＬＥを送信する側のデータ送受信装置１の操作によって、２つのデータ送受信装置１間でＰＲＯＦＩＬＥの交換ができ、ユーザの利便性を向上することが可能となる。
【００３７】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３８】
１１  制御部、１２  ＰＲＯＦＩＬＥ制御部、１８  無線制御部、２０  記憶部、３０  表示部、４０  操作部、５０  無線部。
【図１】
0005762984.tif 000002
【図２】
0005762984.tif 000003
【図３】
0005762984.tif 000004
【図４】
0005762984.tif 000005